【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
ビデオ情報を符号化するための装置であって、
ビデオ情報を記憶するように構成されたメモリと、
前記メモリに動作可能に結合され、
１つまたは複数のビットレート存在フラグが前記ビットストリーム中で与えられること、または１つまたは複数のピクチャレート存在フラグが前記ビットストリーム中で与えられること、または１つまたは複数のビットレート存在フラグと１つまたは複数のピクチャレート存在フラグとの両方が前記ビットストリーム中で与えられること、を決定したことに応答して、
ｉ）１つまたは複数のレイヤセットの１つまたは複数のサブセットについてのビットレート情報のビットストリーム中における存在を示す１つまたは複数のビットレート存在フラグが、前記ビットストリーム中で与えられるかどうかを示す第１のフラグを符号化することと、
ｉｉ）前記１つまたは複数のレイヤセットの１つまたは複数のサブセットについてのピクチャレート情報のビットストリーム中における存在を示す１つまたは複数のピクチャレート存在フラグが、前記ビットストリーム中で与えられるかどうかを示す第２のフラグを符号化することと、
ｉｉｉ）ビットレートピクチャレートシンタックス構造を符号化することと、ここにおいて前記ビットレートピクチャレートシンタックス構造は、ビットレート存在フラグ、またはピクチャレート存在フラグ、またはビットレート存在フラグとピクチャレート存在フラグとの両方を含む、
ｉｖ）１つまたは複数のビットレート存在フラグが前記ビットストリーム中で与えられることを決定したことに応答して、それぞれのレイヤについて前記１つまたは複数のビットレート存在フラグを符号化することと、
ｖ）１つまたは複数のピクチャレート存在フラグが前記ビットストリーム中で与えられることを決定したことに応答して、それぞれのレイヤについて前記１つまたは複数のピクチャレート存在フラグを符号化することと、
どのピクチャレート存在フラグも前記ビットストリーム中で与えられないこと、およびどのピクチャレート存在フラグも前記ビットストリーム中で与えられないこと、を決定したことに応答して、
ｉ）１つまたは複数のレイヤセットの１つまたは複数のサブセットについてのビットレート情報のビットストリーム中における存在を示すどのビットレート存在フラグも前記ビットストリーム中で与えられないことを示す第１のフラグを符号化することと、
ｉｉ）前記１つまたは複数のレイヤセットの１つまたは複数のサブセットについてのピクチャレート情報のビットストリーム中における存在を示すどのピクチャレート存在フラグも前記ビットストリーム中で与えられないことを示す第２のフラグを符号化することと、
ｉｉｉ）前記ビットレートピクチャレートシンタックス構造を符号化するのをスキップすることと、
を行うように構成されたコンピューティングハードウェアとを備える、装置。
【請求項２】
ビデオデータをキャプチャするように構成されたカメラをさらに備える、請求項１に記載の装置。
【請求項３】
ビデオ情報を復号するための装置であって、
ビデオ情報を記憶するように構成されたメモリと、
前記メモリに動作可能に結合され、
１つまたは複数のレイヤセットの１つまたは複数のサブセットについてのビットレート情報のビットストリーム中における存在を示す１つまたは複数のビットレート存在フラグが、前記ビットストリーム中で与えられるかどうかを示す第１のフラグを復号することと、
前記１つまたは複数のレイヤセットの１つまたは複数のサブセットについてのピクチャレート情報のビットストリーム中における存在を示す１つまたは複数のピクチャレート存在フラグが、前記ビットストリーム中で与えられるかどうかを示す第２のフラグを復号することと、
ここにおいて、前記第１のフラグおよび前記第２のフラグは、ビデオパラメータセット（ＶＰＳ）に含まれ、前記ＶＰＳは、前記ビットストリーム内のすべてのレイヤに、およびアクセスユニットのシーケンスをわたって適用されるパラメータのセットを含む、
前記第１のフラグが、１つまたは複数のビットレート存在フラグが前記ビットストリーム中で与えられることを示すこと、または前記第２のフラグが、１つまたは複数のピクチャレート存在フラグが前記ビットストリーム中で与えられることを示すこと、または前記第１および第２のフラグの両方が、１つまたは複数のビットレート存在フラグおよび１つまたは複数のピクチャレート存在フラグが前記ビットストリーム中で与えられることを示すこと、を決定したことに応答して、ビットレートピクチャレートシンタックス構造を復号することと、ここにおいて前記ビットレートピクチャレートシンタックス構造は、ビットレート存在フラグ、またはピクチャレート存在フラグ、またはビットレート存在フラグとピクチャレート存在フラグとの両方を含む、
前記第１のフラグが、１つまたは複数のビットレート存在フラグが前記ビットストリーム中で与えられることを決定したことに応答して、それぞれのレイヤについて前記１つまたは複数のビットレート存在フラグを復号することと、
前記第２のフラグが、１つまたは複数のピクチャレート存在フラグが前記ビットストリーム中で与えられることを決定したことに応答して、それぞれのレイヤについて前記１つまたは複数のピクチャレート存在フラグを復号することと、
前記第１のフラグが、どのピクチャレート存在フラグも前記ビットストリーム中で与えられないことを示すこと、および前記第２のフラグが、どのピクチャレート存在フラグも前記ビットストリーム中で与えられないことを示すこと、を決定したことに応答して、前記ビットレートピクチャレートシンタックス構造を復号するのをスキップすることと、
を行うように構成されたコンピューティングハードウェアとを備える、装置。
【請求項４】
前記装置が、デスクトップコンピュータ、ノートブックコンピュータ、ラップトップコンピュータ、タブレットコンピュータ、セットトップボックス、電話ハンドセット、スマートフォン、ワイヤレス通信デバイス、スマートパッド、テレビ、カメラ、ディスプレイデバイス、デジタルメディアプレーヤ、ビデオゲームコンソール、またはビデオストリーミングデバイスのうちの１つまたは複数を備える、請求項１または請求項３に記載の装置。
【請求項５】
復号されたビデオデータを表示するように構成されたディスプレイをさらに備える、請求項３に記載の装置。
【請求項６】
ビデオ情報を符号化する方法であって、
１つまたは複数のビットレート存在フラグが前記ビットストリーム中で与えられること、または１つまたは複数のピクチャレート存在フラグが前記ビットストリーム中で与えられること、または１つまたは複数のビットレート存在フラグと１つまたは複数のピクチャレート存在フラグとの両方が前記ビットストリーム中で与えられること、を決定したことに応答して、
ｉ）１つまたは複数のレイヤセットの１つまたは複数のサブセットについてのビットレート情報のビットストリーム中における存在を示す１つまたは複数のビットレート存在フラグが、前記ビットストリーム中で与えられるかどうかを示す第１のフラグを符号化することと、
ｉｉ）前記１つまたは複数のレイヤセットの１つまたは複数のサブセットについてのビットレート情報のビットストリーム中における存在を示す１つまたは複数のピクチャレート存在フラグが、前記ビットストリーム中で与えられるかどうかを示す第２のフラグを符号化することと、
ｉｉｉ）ビットレートピクチャレートシンタックス構造を符号化することと、ここにおいて前記ビットレートピクチャレートシンタックス構造は、ビットレート存在フラグ、またはピクチャレート存在フラグ、またはビットレート存在フラグとピクチャレート存在フラグとの両方を含む、
ｉｖ）１つまたは複数のビットレート存在フラグが前記ビットストリーム中で与えられることを決定したことに応答して、それぞれのレイヤについて前記１つまたは複数のビットレート存在フラグを符号化することと、
ｖ）１つまたは複数のピクチャレート存在フラグが前記ビットストリーム中で与えられることを決定したことに応答して、それぞれのレイヤについて前記１つまたは複数のピクチャレート存在フラグを符号化することと、
ここにおいて、前記第１のフラグおよび前記第２のフラグは、ビデオパラメータセット（ＶＰＳ）に含まれ、前記ＶＰＳは、前記ビットストリーム内のすべてのレイヤに、およびアクセスユニットのシーケンスをわたって適用されるパラメータのセットを含む、
どのピクチャレート存在フラグも前記ビットストリーム中で与えられないこと、およびどのピクチャレート存在フラグも前記ビットストリーム中で与えられないこと、を決定したことに応答して、
ｉ）１つまたは複数のレイヤセットの１つまたは複数のサブセットについてのビットレート情報のビットストリーム中における存在を示すどのビットレート存在フラグも前記ビットストリーム中で与えられないことを示す第１のフラグを符号化することと、
ｉｉ）前記１つまたは複数のレイヤセットの１つまたは複数のサブセットについてのビットレート情報のビットストリーム中における存在を示すどのピクチャレート存在フラグも前記ビットストリーム中で与えられないことを示す第２のフラグを符号化することと、
ｉｉｉ）前記ビットレートピクチャレートシンタックス構造の符号化をスキップすることと、
を備える、方法。
【請求項７】
ビデオ情報を復号する方法であって、
１つまたは複数のレイヤセットの１つまたは複数のサブセットについてのビットレート情報のビットストリーム中における存在を示す１つまたは複数のビットレート存在フラグが、前記ビットストリーム中で与えられるかどうかを示す第１のフラグを復号することと、
前記１つまたは複数のレイヤセットの１つまたは複数のサブセットについてのビットレート情報のビットストリーム中における存在を示す１つまたは複数のピクチャレート存在フラグが、前記ビットストリーム中で与えられるかどうかを示す第２のフラグを復号することと、
ここにおいて、前記第１のフラグおよび前記第２のフラグは、ビデオパラメータセット（ＶＰＳ）に含まれ、前記ＶＰＳは、前記ビットストリーム内のすべてのレイヤに、およびアクセスユニットのシーケンスをわたって適用されるパラメータのセットを含む、
前記第１のフラグが、１つまたは複数のビットレート存在フラグが前記ビットレート中で与えられることを示すこと、または前記第２のフラグが、１つまたは複数のピクチャレート存在フラグが前記ビットストリーム中で与えられることを示すこと、または前記第１および第２のフラグが、１つまたは複数のビットレート存在フラグおよび１つまたは複数のピクチャレート存在フラグが前記ビットストリーム中で与えられることを示すこと、を決定したことに応答して、ビットレートピクチャレートシンタックス構造を復号することと、ここにおいて前記ビットレートピクチャレートシンタックス構造は、ビットレート存在フラグ、またはピクチャレート存在フラグ、またはビットレート存在フラグとピクチャレート存在フラグとの両方を含む、
前記第１のフラグが、１つまたは複数のビットレート存在フラグが前記ビットストリーム中で与えられることを決定したことに応答して、それぞれのレイヤについて前記１つまたは複数のビットレート存在フラグを復号すること、または、
前記第２のフラグが、１つまたは複数のピクチャレート存在フラグが前記ビットストリーム中で与えられることを決定したことに応答して、それぞれのレイヤについて前記１つまたは複数のピクチャレート存在フラグを復号すること、または、
前記第１のフラグが、どのピクチャレート存在フラグも前記ビットストリーム中で与えられないことを示すこと、および前記第２のフラグが、どのピクチャレート存在フラグも前記ビットストリーム中で与えられないことを示すことを決定したことに応答して、前記ビットレートピクチャレートシンタックス構造の復号をスキップすること、
を備える、方法。
【請求項８】
コンピューティングハードウェアを備えるプロセッサ上で実行されると、前記プロセッサに、請求項６または請求項７にしたがった方法を実行させる命令を備える、非一時的コンピュータ可読媒体。